(57)【要約】【課題】多言語に対応したテレビジョン受像機において、初期起動時に、電源を投入してからオートスキャン処理が完了するまでに要する時間を短縮する。【解決手段】ユーザによりテレビジョン放送信号の種類が選択される前に、所定の種類のテレビジョン放送信号の全帯域について、オートスキャン処理を開始するようにした（Ｓ３）。これにより、上記の所定の種類のテレビジョン放送信号がユーザにより選択されたテレビジョン放送信号と同じであるときには（Ｓ８でＹＥＳ）、初期起動時に電源を投入してからオートスキャン処理が完了するまでに要する時間を短縮することができる。【選択図】図２
2009100051.tif 000002
【特許請求の範囲】
【請求項１】
アンテナを介して受信したテレビジョン放送信号の中から、ユーザにより選択入力されたチャンネルの放送信号の選局・復調を行って、映像・音声信号を出力するチューナと、
前記チューナから出力された映像信号に基く画像や各種の設定画面を表示するための表示手段と、
前記チューナから出力された音声信号に基く音声を出力するスピーカと、
前記チューナで選局可能な全てのチャンネルを検出する処理であるオートスキャン処理を実行するオートスキャン手段と、
前記表示手段上に表示される各種の設定画面に使用される言語を選択するための言語選択手段と、
前記言語選択手段を用いてユーザにより選択された言語で、前記オートスキャン処理の対象となるテレビジョン放送信号の種類を選択するためのオートスキャン種類選択画面を前記表示手段に表示させて、ユーザによる前記オートスキャン処理の対象となるテレビジョン放送信号の種類の選択を促すオートスキャン種類選択促進手段と、
前記オートスキャン種類選択促進手段により表示されたオートスキャン種類選択画面を参照して、ユーザが前記オートスキャン処理の対象となるテレビジョン放送信号の種類を選択するためのオートスキャン種類選択手段と、
前記オートスキャン種類選択手段を用いてユーザにより選択された種類のテレビジョン放送信号の全帯域について、前記オートスキャン手段によるオートスキャン処理を実行するように制御するオートスキャン制御手段とを備えたテレビジョン受像機において、
前記オートスキャン制御手段は、前記オートスキャン種類選択手段を用いてユーザによりテレビジョン放送信号の種類が選択される前に、所定の種類のテレビジョン放送信号の全帯域について、前記オートスキャン手段によるオートスキャン処理を開始することを特徴とするテレビジョン受像機。
【請求項２】
前記オートスキャン制御手段は、前記オートスキャン種類選択手段を用いてユーザにより選択されたテレビジョン放送信号の種類が、前記所定の種類のテレビジョン放送信号と異なるとき、前記所定の種類のテレビジョン放送信号のオートスキャン処理を中止して、前記オートスキャン種類選択手段を用いてユーザにより選択された種類のテレビジョン放送信号の全帯域について、前記オートスキャン手段によるオートスキャン処理を実行することを特徴とする請求項１に記載のテレビジョン受像機。
【請求項３】
前記オートスキャン制御手段は、前記言語選択手段を用いてユーザにより選択された言語の種類に基いて、前記オートスキャン処理を開始する所定の種類のテレビジョン放送信号を切り替えることを特徴とする請求項１又は請求項２に記載のテレビジョン受像機。
【請求項４】
前記オートスキャン制御手段は、前記オートスキャン手段によるオートスキャン処理の実行の結果、１つのチャンネルも検出することができなかったときに、ユーザにアンテナの接続を促すメッセージを前記表示手段に表示させることを特徴とする請求項１乃至請求項３のいずれか1項に記載のテレビジョン受像機。
【発明の詳細な説明】
【技術分野】
【０００１】
本発明は、テレビジョン受像機に係り、特に、装置の初期起動時に、装置の電源投入から、チューナで選局可能な全てのチャンネルを検出する処理であるチャンネルオートスキャン処理(以下、オートスキャン処理と略す)が完了するまでに要する時間を短縮する技術に関する。
【背景技術】
【０００２】
従来のテレビジョン受像機において、チューナで選局可能な全てのチャンネルを検出する処理であるオートスキャン処理を実行する機能を備えたものが知られている（例えば、特許文献１乃至４参照）。この種のテレビジョン受像機において、装置の初期起動時に、複数の種類のテレビジョン放送信号（例えば通常の（無線の）地上波アナログテレビジョン放送信号と、ケーブルテレビのテレビジョン放送信号）のうち、ユーザにより選択された種類のテレビジョン放送信号の全帯域について、チューナで選局可能な全てのチャンネルを検出する処理であるオートスキャン処理を実行するものがある。
【０００３】
この種のテレビジョン受像機のうち、多言語に対応したテレビジョン受像機における装置の初期起動時の処理を、図９を参照して説明する。ユーザがテレビジョン受像機を購入後、最初に電源を投入すると（Ｓ１０１）、テレビジョン受像機のマイコンは、各種の設定画面等に使用される言語を選択するための言語選択画面をモニタ上に表示させる（Ｓ１０２）。ユーザがこの言語選択画面を参照しながら、リモコン等で使用言語を選択すると（Ｓ１０３）、テレビジョン受像機のマイコンは、ユーザにより選択された言語で、オートスキャン処理の対象となるテレビジョン放送信号の種類を選択するためのオートスキャン種類選択画面をモニタに表示させて、ユーザによるオートスキャン処理の対象となるテレビジョン放送信号の種類の選択を促す（Ｓ１０４乃至Ｓ１０６）。例えば、ユーザが、英語を選択した場合には、英語でオートスキャン種類選択画面をモニタに表示させる（Ｓ１０４）。これに対して、ユーザがリモコン等でオートスキャン処理の対象となるテレビジョン放送信号の種類を選択すると（Ｓ１０７）、テレビジョン受像機のマイコンは、ユーザにより選択された種類のテレビジョン放送信号の全帯域についてオートスキャン処理を実行する（Ｓ１０８乃至Ｓ１１０）。例えば、ユーザがリモコン等で選択したテレビジョン放送信号の種類が通常の（無線の）地上波アナログテレビジョン放送信号（図ではＴＶと表す）であるときは、地上波アナログテレビジョン放送信号の全帯域についてオートスキャン処理を実行する（Ｓ１０９）。これに対して、ユーザが選択したテレビジョン放送信号の種類がケーブルテレビ（ＣＡＴＶ（Community Antenna Television)）のテレビジョン放送信号であるときは、ケーブルテレビの放送信号の全帯域についてオートスキャン処理を実行する（Ｓ１０８）。
【０００４】
しかしながら、上記のような従来の多言語に対応したテレビジョン受像機では、ユーザによる使用言語の選択入力が完了してから、選択された言語でオートスキャン処理の対象となるテレビジョン放送信号の種類の選択をユーザに促し、これに対してユーザがオートスキャン処理の対象となるテレビジョン放送信号の種類を選択してから、オートスキャン処理の実行を開始していたので、電源を投入してからオートスキャン処理が完了するまでに要する時間が長くなるという問題があった。
【特許文献１】特開２００７−１３４９５７号公報
【特許文献２】特開２００３−６０４８６号公報
【特許文献３】特開２００５−１６７３１１号公報
【特許文献４】特開平５−６４０９４号公報
【発明の開示】
【発明が解決しようとする課題】
【０００５】
本発明は、上記の問題を解決するためになされたものであり、多言語に対応したテレビジョン受像機において、初期起動時に、電源を投入してからオートスキャン処理が完了するまでに要する時間を短縮することが可能なテレビジョン受像機を提供することを目的とする。
【課題を解決するための手段】
【０００６】
上記目的を達成するために請求項１の発明は、アンテナを介して受信したテレビジョン放送信号の中から、ユーザにより選択入力されたチャンネルの放送信号の選局・復調を行って、映像・音声信号を出力するチューナと、前記チューナから出力された映像信号に基く画像や各種の設定画面を表示するための表示手段と、前記チューナから出力された音声信号に基く音声を出力するスピーカと、前記チューナで選局可能な全てのチャンネルを検出する処理であるオートスキャン処理を実行するオートスキャン手段と、前記表示手段上に表示される各種の設定画面に使用される言語を選択するための言語選択手段と、前記言語選択手段を用いてユーザにより選択された言語で、前記オートスキャン処理の対象となるテレビジョン放送信号の種類を選択するためのオートスキャン種類選択画面を前記表示手段に表示させて、ユーザによる前記オートスキャン処理の対象となるテレビジョン放送信号の種類の選択を促すオートスキャン種類選択促進手段と、前記オートスキャン種類選択促進手段により表示されたオートスキャン種類選択画面を参照して、ユーザが前記オートスキャン処理の対象となるテレビジョン放送信号の種類を選択するためのオートスキャン種類選択手段と、前記オートスキャン種類選択手段を用いてユーザにより選択された種類のテレビジョン放送信号の全帯域について、前記オートスキャン手段によるオートスキャン処理を実行するように制御するオートスキャン制御手段とを備えたテレビジョン受像機において、前記オートスキャン制御手段は、前記オートスキャン種類選択手段を用いてユーザによりテレビジョン放送信号の種類が選択される前に、所定の種類のテレビジョン放送信号の全帯域について、前記オートスキャン手段によるオートスキャン処理を開始するものである。
【０００７】
請求項２の発明は、請求項１に記載のテレビジョン受像機において、前記オートスキャン制御手段は、前記オートスキャン種類選択手段を用いてユーザにより選択されたテレビジョン放送信号の種類が、前記所定の種類のテレビジョン放送信号と異なるとき、前記所定の種類のテレビジョン放送信号のオートスキャン処理を中止して、前記オートスキャン種類選択手段を用いてユーザにより選択された種類のテレビジョン放送信号の全帯域について、前記オートスキャン手段によるオートスキャン処理を実行するものである。
【０００８】
請求項３の発明は、請求項１又は請求項２に記載のテレビジョン受像機において、前記オートスキャン制御手段は、前記言語選択手段を用いてユーザにより選択された言語の種類に基いて、前記オートスキャン処理を開始する所定の種類のテレビジョン放送信号を切り替えるものである。
【０００９】
請求項４の発明は、請求項１乃至請求項３のいずれか1項に記載のテレビジョン受像機において、前記オートスキャン制御手段は、前記オートスキャン手段によるオートスキャン処理の実行の結果、１つのチャンネルも検出することができなかったときに、ユーザにアンテナの接続を促すメッセージを前記表示手段に表示させるものである。
【発明の効果】
【００１０】
請求項１及び２の発明によれば、ユーザによりテレビジョン放送信号の種類が選択される前に、所定の種類のテレビジョン放送信号の全帯域について、オートスキャン処理を開始するようにしたことにより、上記の所定の種類のテレビジョン放送信号がユーザにより選択されたテレビジョン放送信号と同じであるときには、初期起動時に電源を投入してからオートスキャン処理が完了するまでに要する時間を短縮することができる。
【００１１】
請求項３の発明によれば、ユーザにより選択された言語の種類に基いて、オートスキャン処理を開始する所定の種類のテレビジョン放送信号を切り替えるようにした。これにより、ユーザにより選択された言語の種類に基いてユーザにより選択される可能性の高いテレビジョン放送信号のオートスキャン処理を開始しておくことができるので、請求項１及び２と比べて、初期起動時に電源を投入してからオートスキャン処理が完了するまでに要する時間を短縮することができる可能性を高めることができる。
【００１２】
請求項４の発明によれば、オートスキャン処理の実行の結果、１つのチャンネルも検出することができなかったときに、ユーザにアンテナの接続を促すメッセージを表示手段に表示させるようにしたことにより、ユーザがアンテナを接続してオートスキャン処理をやり直すまでの時間を短縮することができる。
【発明を実施するための最良の形態】
【００１３】
本発明を実施するための最良の形態について図面を参照して説明する。本発明は、テレビジョン受像機において、装置の初期起動時に、電源投入から、チューナで選局可能な全てのチャンネルを検出する処理であるチャンネルオートスキャン処理(以下、オートスキャン処理と略す)が完了するまでに要する時間を短縮する技術に関するものである。なお、以下に記載した実施形態は、本発明を網羅するものではなく、本発明は、下記の形態だけに限定されない。
【００１４】
図１は、本実施形態によるテレビジョン受像機１の電気的ブロック構成を示す。テレビジョン受像機１は、アンテナ２０を介して受信したテレビジョン放送信号の中から、ユーザにより選択入力されたチャンネルの放送信号の選局・復調を行って、映像・音声信号を出力するチューナ３と、チューナ３から送られた音声信号を増幅する音声回路４と、音声回路４から出力された音声信号に基く音声を出力するスピーカ５と、チューナ３から送られた映像信号に基づいて原色信号を再生する色再生回路６と、この色再生回路６により再生された原色信号に文字情報等の映像信号を重畳させるオンスクリーンディスプレイ部７（以下、ＯＳＤ部という）と、チューナ３から出力された映像信号に基く画像やＯＳＤ部７から出力された各種の設定画面を表示するためのモニタ８（表示手段）とを有している。また、テレビジョン受像機１は、装置各部を制御するためのマイコン２（請求項におけるオートスキャン手段、オートスキャン種類選択促進手段、及びオートスキャン制御手段）と、リモコン３０から送信された赤外線信号を受信するリモコン信号受信部９と、装置の各部に電源を供給するための電源部１０とを有している。
【００１５】
上記のリモコン３０は、各種のキーと赤外線信号発信部３１とを有している。リモコン３０が有するキーには、電源キー３３、数字入力用のキー３４、及びカーソル移動キー３６に加えて、各種メニューを表示するためのメニューキー３２が含まれている。ユーザは、これらのキーを用いることにより、装置本体に対して初期設定を含む各種の指示操作を行うことができる。
【００１６】
次に、図２及び図３のフローチャートに加えて、図４乃至図８を参照して、上記テレビジョン受像機１において装置の初期起動時に実行されるオートスキャン処理について説明する。ユーザがテレビジョン受像機１を購入後、最初に電源を投入すると（Ｓ１）、テレビジョン受像機１のマイコン２は、ＯＳＤ部７を用いて、各種の設定画面等に使用される言語を選択するための言語選択画面４０（図４参照）をモニタ８上に表示させる（Ｓ２）と共に、バックグラウンドで、所定の種類のテレビジョン放送信号（例えば、通常の（無線の）地上波アナログテレビジョン放送信号（図２ではＴＶと表示））の全帯域についてオートスキャン処理を開始する（Ｓ３）。
【００１７】
図４に言語選択画面４０を示す。言語選択画面４０には、「使用する言語を選択してください」というメッセージ４１と、ＯＳＤ部７が各種の設定画面等を表示する際に使用する言語を選択するための言語選択ボタン４２乃至４４が配設されている。選択ボタン４２、４３、４４は、それぞれ英語、スペイン語、フランス語を選択するためのボタンである。この言語選択画面４０とリモコン３０とが、請求項における言語選択手段に相当する。なお、図２のフローチャートに記載されている西語と仏語とは、それぞれスペイン語とフランス語の意味である。
【００１８】
ユーザが上記の言語選択画面４０を参照しながら、リモコン３０で使用言語を選択すると（図２のＳ４）、テレビジョン受像機１のマイコン２は、ユーザにより選択された言語で、オートスキャン処理の対象となるテレビジョン放送信号の種類を選択するためのオートスキャン種類選択画面５０（図５参照）をモニタ８に表示させて、ユーザによるオートスキャン処理の対象となるテレビジョン放送信号の種類の選択を促す（Ｓ５乃至Ｓ７）。例えば、ユーザが、英語を選択した場合には、英語でオートスキャン種類選択画面５０をモニタ８に表示させる（Ｓ５）。
【００１９】
図５にオートスキャン種類選択画面５０を示す。オートスキャン種類選択画面５０には、「オートスキャンの種類を選択してください」というメッセージ５１と、オートスキャン処理の対象となるテレビジョン放送信号の種類を選択するための選択ボタン５３、５４が配設されている。選択ボタン５３と選択ボタン５４とは、それぞれ通常の（無線の）地上波アナログテレビジョン放送信号（ＴＶ）を選択するためのボタンと、ケーブルテレビ（ＣＡＴＶ（Community Antenna Television)）のテレビジョン放送信号を選択するためのボタンである。このオートスキャン種類選択画面５０とリモコン３０とが、請求項におけるオートスキャン種類選択手段に相当する。なお、オートスキャン種類選択画面５０には、ユーザにアンテナ２０の接続の確認を促すためのメッセージ５２も表示される。
【００２０】
上記のオートスキャン種類選択画面５０を参照しながら、ユーザがリモコン３０でオートスキャン処理の対象となるテレビジョン放送信号の種類を選択すると（Ｓ８）、テレビジョン受像機１のマイコン２は、ユーザにより選択されたテレビジョン放送信号の種類が、上記Ｓ３でオートスキャン処理を開始したテレビジョン放送信号（図２の場合は、通常の（無線の）地上波アナログテレビジョン放送信号（ＴＶ））と同じときは、通常の（無線の）地上波アナログテレビジョン放送信号（ＴＶ）のオートスキャン処理を完了するまで継続する（Ｓ１０及びＳ１１）。しかし、ユーザにより選択されたテレビジョン放送信号の種類が、上記Ｓ３でオートスキャン処理を開始したテレビジョン放送信号と異なるときは（ＣＡＴＶのときは）、上記Ｓ３で開始した、通常の（無線の）地上波アナログテレビジョン放送信号（ＴＶ）のオートスキャン処理を中止して、上記Ｓ８でユーザにより選択されたＣＡＴＶのテレビジョン放送信号の全帯域について、オートスキャン処理を完了するまで実行する（Ｓ９及びＳ１１）。
【００２１】
なお、Ｓ８の処理においてユーザがリモコン３０でＣＡＴＶのテレビジョン放送信号を選択したときに、既に通常の地上波アナログテレビジョン放送信号のオートスキャン処理が完了していた場合は、テレビジョン受像機１のマイコン２は、単純に、ＣＡＴＶのテレビジョン放送信号の全帯域について、オートスキャン処理を実行する。また、Ｓ８の処理においてユーザがリモコン３０で通常の地上波アナログテレビジョン放送信号（ＴＶ）を選択したときに、既に通常の地上波アナログテレビジョン放送信号のオートスキャン処理が完了していた場合は、通常は何も行わない。
【００２２】
しかし、上記Ｓ９又はＳ１０に示されるオートスキャン処理の実行開始時において、アンテナ２０が接続されていなかった場合は、テレビジョン受像機１のマイコン２は、オートスキャン処理のやり直しを促す。
【００２３】
具体的には、テレビジョン受像機１のマイコン２は、上記Ｓ９又はＳ１０に示されるオートスキャン処理の実行の結果、１つのチャンネルも検出することができなかったときには（Ｓ１２でＹＥＳ）、ユーザにアンテナ２０の接続を促すメッセージ６１を含むヘルプメッセージ画面６０（図６参照）をモニタ８に表示させる。
【００２４】
上記のヘルプメッセージ画面６０には、図６に示されるように、上記のアンテナ２０の接続を促すメッセージ６１に加えて、オートスキャン処理をやり直すか否かをユーザに確認するためのメッセージ６２と、ユーザがオートスキャン処理をやり直すか否か（再スキャンを実行するか否か）を選択指示するための選択ボタン６３、６４が配設されている。
【００２５】
上記のヘルプメッセージ画面６０を参照しながら、ユーザがリモコン３０で再スキャンの実行を選択指示すると（Ｓ１６でＹＥＳ）、テレビジョン受像機１のマイコン２は、再スキャンを開始して、Ｓ１１の処理に進む。
【００２６】
また、テレビジョン受像機１のマイコン２は、上記Ｓ１２において１つ以上のチャンネルも検出することができたときであっても（Ｓ１２でＮＯ）、上記Ｓ９又はＳ１０に示されるオートスキャン処理の実行開始時において、アンテナ２０が接続されていなかった場合が想定され得るので、アンテナ接続後に電源を投入したか否かを確認するための確認画面７０（図７参照）をモニタ８に表示して、ユーザに確認入力を促す。
【００２７】
図７は、上記の確認画面７０を示す。この確認画面７０は、アンテナ接続後に電源を投入したか否かを確認するためのメッセージ７１と、アンテナ接続後に電源を投入したか否かを答えるための確認ボタン７２、７３とを有する。
【００２８】
上記の確認画面７０を参照しながら、ユーザがアンテナ接続後に電源を投入した旨の応答をするためにリモコン３０で確認ボタン７２を選択すると（Ｓ１４でＹＥＳ）、テレビジョン受像機１のマイコン２は、処理を終了する。これに対して、ユーザがアンテナ接続後に電源を投入しなかった（電源の投入後にアンテナを接続した）旨の応答をするためにリモコン３０で確認ボタン７３を選択すると（Ｓ１４でＮＯ）、テレビジョン受像機１のマイコン２は、電源投入からアンテナ接続までの間にとり逃がしているチャンネルがあるかもしれないので、図８に示されるように、「電源投入からアンテナ接続までの間に検出できなかったチャンネルがあるかもしれません！」というメッセージ８１を含む再実行確認画面８０をモニタ８に表示して、オートスキャン処理をやり直すか否かをユーザに確認する（Ｓ１５）。
【００２９】
上記の再実行確認画面８０には、図８に示されるように、上記のメッセージ８１に加えて、オートスキャン処理をやり直すか否かをユーザに確認するためのメッセージ８２と、ユーザがオートスキャン処理をやり直すか否か（再スキャンを実行するか否か）を選択指示するための選択ボタン８３、８４が配設されている。
【００３０】
上記の再実行確認画面８０を参照しながら、ユーザがリモコン３０で再スキャンの実行を選択指示すると（Ｓ１６でＹＥＳ）、テレビジョン受像機１のマイコン２は、再スキャンを開始する。
【００３１】
なお、テレビジョン受像機１のマイコン２は、上記Ｓ２の処理でユーザにより選択された言語の種類に基いて、上記Ｓ３でオートスキャン処理を開始するテレビジョン放送信号の種類を切り替えてもよい。具体的には、上記Ｓ２の処理でユーザにより選択された言語の種類に基いてユーザにより選択される可能性の高いテレビジョン放送信号の種類を予測して、このユーザにより選択される可能性の高いテレビジョン放送信号のオートスキャン処理を上記Ｓ３で開始する。これにより、初期起動時に電源を投入してからオートスキャン処理が完了するまでに要する時間を短縮することができる確率を高めることができる。
【００３２】
上記のように、本実施形態によるテレビジョン受像機１によれば、ユーザによりテレビジョン放送信号の種類が選択される前に、通常の（無線の）地上波アナログテレビジョン放送信号の全帯域についてオートスキャン処理を開始するようにしたことにより、ユーザにより選択されたテレビジョン放送信号が上記の地上波アナログテレビジョン放送信号であるときには、初期起動時に電源を投入してからオートスキャン処理が完了するまでに要する時間を短縮することができる。
【００３３】
また、オートスキャン処理の実行の結果、１つのチャンネルも検出することができなかったときに、ユーザにアンテナ２０の接続を促すメッセージ６１を含むヘルプメッセージ画面６０をモニタ８に表示させるようにしたことにより、ユーザがアンテナ２０を接続してオートスキャン処理をやり直すまでの時間を短縮することができる。
【００３４】
なお、本発明は、上記実施形態に限られるものではなく、様々な変形が可能である。例えば、上記の実施形態では、言語選択画面４０の表示と共にオートスキャン処理を開始するテレビジョン放送信号の種類が、通常の（無線の）地上波アナログテレビジョン放送信号である場合の例について説明したが、言語選択画面４０の表示と共にオートスキャン処理を開始するテレビジョン放送信号の種類は、これに限られず、例えば、地上波ディジタルテレビジョン放送信号であってもよいし、ＣＡＴＶのテレビジョン放送信号であってもよい。
【図面の簡単な説明】
【００３５】
【図１】本発明の一実施形態によるテレビジョン受像機の電気的ブロック構成図。
【図２】上記テレビジョン受像機の初期起動時に実行されるオートスキャン処理を示すフローチャート。
【図３】上記テレビジョン受像機の初期起動時に実行されるオートスキャン処理を示すフローチャート。
【図４】上記テレビジョン受像機のモニタに表示される言語選択画面を示す図。
【図５】上記モニタに表示されるオートスキャン種類選択画面を示す図。
【図６】上記モニタに表示されるヘルプメッセージ画面を示す図。
【図７】上記モニタに表示される、アンテナ接続後に電源を投入したか否かを確認するための確認画面を示す図。
【図８】上記モニタに表示される再実行確認画面を示す図。
【図９】従来の多言語に対応したテレビジョン受像機の初期起動時に実行されるオートスキャン処理を示すフローチャート。
【符号の説明】
【００３６】
１    テレビジョン受像機
２    マイコン（オートスキャン手段、オートスキャン種類選択促進手段、オートスキャン制御手段）
３    チューナ
５    スピーカ
８    モニタ（表示手段）
３０  リモコン（言語選択手段、オートスキャン種類選択手段）
４０  言語選択画面（言語選択手段）
５０  オートスキャン種類選択画面（オートスキャン種類選択手段）
【図１】
2009100051.tif 000003
【図２】
2009100051.tif 000004
【図３】
2009100051.tif 000005
【図４】
2009100051.tif 000006
【図５】
2009100051.tif 000007
【図６】
2009100051.tif 000008
【図７】
2009100051.tif 000009
【図８】
2009100051.tif 000010
【図９】
2009100051.tif 000011